(57)【特許請求の範囲】
【請求項１】
光源および列状に配された複数の受光素子を片面に搭載した基板と、
上記光源および上記複数の受光素子を囲むように上記基板上に設けられたケースと、
上記ケースに装着された透明カバーと、
上記光源から発せられた光を上記透明カバーの表面部に導くとともにこの表面部上の原稿から反射してきた光を上記複数の受光素子に導くように上記ケース内に形成されている光路と、
上記基板の上記片面のうち、上記ケースからはみ出した部分に列状に搭載された複数の印字用素子と、を備えているとともに、
上記ケースには、このケースの幅方向に突出した凸状部が設けられていることにより、上記透明カバーの表面部の一側縁から上記透明カバーの幅方向外方に延びている原稿搬送用の第１のガイド面と、上記基板の印字用素子搭載領域の近傍部分から上記ケースの厚み方向に立ち上がった凹面状をした記録紙搬送用の第２のガイド面とが設けられていることを特徴とする、画像読み書き一体ヘッド。
【請求項２】
上記印字用素子は、発熱素子であるとともに、上記基板の上記片面とは反対の面に接触する放熱板をさらに具備している、請求項１に記載の画像読み書き一体ヘッド。
【請求項３】
上記放熱板は、上記基板の幅方向外方にはみ出しているとともに、このはみ出し部分によって上記基板の印字用素子搭載領域の近傍に繋がった記録紙搬送用の第３のガイド面が形成されている、請求項２に記載の画像読み書き一体ヘッド。
【請求項４】
請求項１ないし３のいずれかに記載の画像読み書き一体ヘッドを具備していることを特徴とする、画像処理装置。
【発明の詳細な説明】
【０００１】
【発明の属する技術分野】
本願発明は、画像読み取り機能と画像形成機能とを併せもつ画像読み書き一体ヘッド、およびこれを備えた画像処理装置に関する。
【０００２】
【従来の技術】
ファクシミリ装置などの画像処理装置においては、画像読み取り機能と画像形成機能とを併せもつ必要がある。また、画像処理装置の小型化の要請に応える必要もある。そこで、従来では、図６に示すような画像読み書き一体ヘッドＨがある。この従来の画像読み書き一体ヘッドＨは、透明カバー１９ｅを上面部に装着したケース１ｅと、このケース１ｅの底部に取付けられた基板４ｅとを具備している。上記基板４ｅの表裏両面には、複数の受光素子２ｅと印字用の複数の発熱素子８ｅとがこの基板４ｅの長手方向に延びた列状に実装されている。上記ケース１ｅの内部には、光源３ｅと集光レンズ５ｅとが設けられており、上記光源３ｅから発せられた光が上記透明カバー１９ｅの表面の画像読み取り対象領域Ｓｅに照射されるとともに、この画像読み取り対象領域Ｓｅから反射されてきた光を上記集光レンズ５ｅを介して上記複数の受光素子２ｅに導くことができるように構成されている。
【０００３】
上記画像読み書き一体ヘッドＨでは、透明カバー１９ｅ上において移送される原稿Ｄの画像を、上記光源３ｅや複数の受光素子２ｅを利用して１ラインずつ順次読み取ることができる。その一方、上記複数の発熱素子８ｅを利用してたとえば感熱タイプの記録紙Ｋに所望の画像を印字出力することができる。
【０００４】
【発明が解決しようとする課題】
しかしながら、上記従来の画像読み書き一体ヘッドＨでは、次のような不具合があった。
【０００５】
すなわち、上記従来の画像読み書き一体ヘッドＨは、複数の受光素子２ｅが基板４ｅの表面４０に搭載されているのに対し、複数の発熱素子８ｅは上記基板４ｅの裏面４１に搭載されている。このため、上記基板４ｅへの部品実装作業に際して、まず基板４ｅの表面４０に複数の受光素子２ｅを実装した後に、上記基板４ｅの裏面４１に複数の発熱素子８ｅを実装するには、上記基板４ｅの表裏を反転させる必要がある。基板４ｅを反転させた後には、この基板４ｅを再度所望の位置へ正確に位置決めし直す必要もある。また、上記基板４ｅには、上記複数の受光素子２ｅや複数の発熱素子８ｅに関連する２種類の配線パターンを予め形成しておく必要があるが、これら２種類の配線パターンを基板４ｅの表裏両面にそれぞれ別個に形成する作業も煩雑である。したがって、従来の画像読み書き一体ヘッドＨでは、その生産性が悪いものとなっていた。
【０００６】
さらに、従来では、上記画像読み書き一体ヘッドＨを用いて画像処理装置を実際に製作する場合には、原稿Ｄを送るためのプラテンローラＰ1 については画像読み書き一体ヘッドＨの上方に配置する必要があるのに対し、記録紙Ｋを送るためのプラテンローラＰ2 については画像読み書き一体ヘッドＨの下方に配置する必要がある。このため、２つのプラテンローラＰ1 ，Ｐ2 と画像読み書き一体ヘッドＨとを組み合わせた機構全体がその高さ方向に大きく嵩張ったものとなり、その小型化の面においても改善すべき余地があった。
【０００７】
本願発明は、このような事情のもとで考え出されたものであって、画像読み書き一体ヘッドの生産性を高め、しかもその画像読み書き一体ヘッドを画像処理装置に組み込んで実際に使用する場合にはその小型化も図ることができるようにすることをその課題としている。
【０００８】
【発明の開示】
上記の課題を解決するため、本願発明では、次の技術的手段を講じている。
【０００９】
すなわち、本願発明の第１の側面によれば、画像読み書き一体ヘッドが提供さる。この画像読み書き一体ヘッドは、光源および列状に配された複数の受光素子を片面に搭載した基板と、上記光源および上記複数の受光素子を囲むように上記基板上に設けられたケースと、上記ケースに装着された透明カバーと、上記光源から発せられた光を上記透明カバーの表面部に導くとともにこの表面部上の原稿から反射してきた光を上記複数の受光素子に導くように上記ケース内に形成されている光路と、上記基板の上記片面のうち、上記ケースからはみ出した部分に列状に搭載された複数の印字用素子と、を備えているとともに、上記ケースには、このケースの幅方向に突出した凸状部が設けられていることにより、上記透明カバーの表面部の一側縁から上記透明カバーの幅方向外方に延びている原稿搬送用の第１のガイド面と、上記基板の印字用素子搭載領域の近傍部分から上記ケースの厚み方向に立ち上がった凹面状をした記録紙搬送用の第２のガイド面とが設けられていることに特徴づけられる。
【００１０】
本願発明においては、次のような効果が得られる。
【００１１】
第１に、本願発明では、光源、複数の受光素子および印字用素子が基板の同一面に搭載されているために、その製造に際しては、従来とは異なり、上記基板の表裏を反転させることなく、上記基板上に光源や複数の受光素子や印字用素子を搭載することができる。また、それら光源や受光素子や印字用素子に関連する配線パターンの形成も基板の同一面に対して形成すればよいため、それらの配線パターンを同時に形成することも可能となる。したがって、本願発明では、画像読み書き一体ヘッドの生産性を従来よりも高めることができる。
【００１２】
第２に、本願発明では、基板の表裏両面側のうち、透明カバーを基板の印字用素子が搭載されている片面と同一面側となるようにケースに装着することが簡単に行えることとなり、透明カバーに対向して原稿送りを行うプラテンローラと印字用素子搭載領域に対向して記録紙送りを行うプラテンローラとを、基板の同一面側に配置することができる。このため、本願発明では、画像読み書き一体ヘッドを挟むようにしてその両側に２つのプラテンローラを配置する必要があった従来のものと比較すると、それら全体のサイズが大きく嵩張らないようにでき、小型化が図れる。
【００１３】
第３に、本願発明では、原稿と記録紙について、第１のガイド面と第２のガイド面とを利用してその紙送りをガイドすることができるために、原稿と記録紙とがともに画像読み書き一体ヘッドの同一面側において接近した位置に移送されるにも拘わらず、たとえばこれら原稿と記録紙とが互いに干渉しない経路でそれらを適切に紙送りすることができる。より詳しくは、上記第１のガイド面を利用することにより、原稿を透明カバーの表面部に適切にガイドすることができ、または透明カバーの表面部を通過した原稿を所望の排紙方向へ適切にガイドすることができる。また、上記第２のガイド面を利用することにより、記録紙を基板の印字用素子搭載領域に適切にガイドすることができ、または印字用素子搭載領域を通過した記録紙を所望の排紙方向へ適切にガイドすることができる。上記第２のガイド面は、凹面状であるために、この第２のガイド面によってガイドされる記録紙の進行方向を略反転させるように大きく変化させることが可能となり、記録紙が原稿に干渉しないようにすることもできる。さらに、上記凹面状の第２のガイド面の側方には凹状部分が形成されるために、ケースの側方にプラテンローラを配置するときには、このプラテンローラの外周を上記凹状部分に一部進入させることによって、上記プラテンローラをケースにかなり接近させることも可能となり、全体の一層の小型化も図れる。むろん、本願発明では、画像読み書き一体ヘッド自体に第１のガイド面と第２のガイド面とを設けた構成としているために、この画像読み書き一体ヘッドを実際に利用して画像処理装置を製作する場合には、画像読み書き一体ヘッドの周辺に原稿や記録紙の紙送りガイドを行うための別体のガイド部材を多数設ける必要を無くすことができる。したがって、その周辺構造を簡素にでき、画像処理装置の製造をより容易なものにできる。
【００１８】
本願発明の他の好ましい実施の形態では、上記印字用素子は、発熱素子であるとともに、上記基板の上記片面とは反対の面に接触する放熱板をさらに具備している。
【００１９】
このような構成によれば、基板上に搭載されている発熱素子やその他の電子部品から発せられる熱を放熱板を介して外部に逃がすことができる。したがって、発熱素子が過度に温度上昇することを防止することができ、プリンタ特性を高めることができる。
【００２０】
本願発明の他の好ましい実施の形態では、上記放熱板は、上記基板の幅方向外方にはみ出しているとともに、このはみ出し部分によって上記基板の印字用素子搭載領域の近傍に繋がった記録紙搬送用の第３のガイド面が形成されている。
【００２１】
このような構成によれば、印字用素子搭載部分への記録紙の紙送りガイド、または上記印字用素子搭載部分を通過した記録紙の排出ガイドを放熱板によって形成された第三のガイド面を利用して適切に行うことができる。上記放熱板は、本来的には放熱機能を発揮すればよく、とくにその形状やサイズなどは特定されるものではない。このため、上記放熱板の一部をガイド手段とする構成によれば、たとえば基板にガイド手段を設ける場合と比較すると、その製造をかなり容易なものにすることができ、また設計仕様の自由度も大きくすることができる。
【００２２】
本願発明の第２の側面によれば、画像処理装置が提供される。この画像処理装置は、本願発明の第１の側面によって提供される画像読み書き一体ヘッドを具備していることに特徴づけられる。
【００２３】
本願発明の第２の側面によれば、本願発明の第１の側面によって得られるのと同様な効果が期待でき、生産性の向上や全体の小型化が図れ、さらには原稿や記録紙の適正な紙送りも行えることとなる。
【００２４】
本願発明のその他の特徴および利点は、以下の発明の実施の形態の説明からより明らかになるであろう。
【００２５】
【発明の実施の形態】
以下、本願発明の好ましい実施の形態について、図面を参照しつつ具体的に説明する。
【００２６】
図１は、本願発明に係る画像読み書き一体ヘッドの一例を示す斜視図である。図２は、図１のII−II断面図である。図３は、図１に示す画像読み書き一体ヘッドの分解斜視図である。
【００２７】
図２および図３によく表れているように、本実施形態の画像読み書き一体ヘッドＡは、ケース１、透明カバー１９、レンズアレイ５、基板４、放熱板７、およびその他の後述する各部品類を具備して構成されている。
【００２８】
上記基板４は、たとえばセラミック製であり、平面視長矩形状のプレート状である。この基板４の表面４ａ（片面）には、複数の光源３、複数の受光素子２、複数の駆動ＩＣ８０、および複数の発熱素子８が搭載されている。
【００２９】
上記複数の光源３は、たとえばＬＥＤチップを用いて構成されており、上記基板４の長手方向に適当な間隔を隔てて列状に実装されている。上記複数の受光素子２は、光電変換機能を備えた素子であり、上記複数の光源３と略平行となるように上記基板４の長手方向に列状に実装されている。上記複数の発熱素子８は、本願発明でいう印字用素子の一例に相当するものである。上記各発熱素子８は、たとえば酸化ルテニウムなどを導体成分とする厚膜抵抗ペーストを印刷・焼成することによって上記基板４の長手方向に一連に延びる線状の発熱抵抗体を形成するとともに、この発熱抵抗体をその長手方向に沿って一定間隔で電気的に分断する配線パターンを形成することによって構成されている。上記複数の駆動ＩＣ８０は、上記複数の発熱素子８の発熱駆動を制御するためのものであり、やはり適当な間隔を隔てて上記基板４の長手方向に列状に実装されている。上記複数の発熱素子８は、上記基板４の長手方向に延びる一側縁部４ｃまたはその近傍に配されている。また、上記基板４の表面４ａには、上記複数の光源３、複数の受光素子２、複数の駆動ＩＣ８０、および複数の発熱素子８のそれぞれに関連する配線パターン（図示略）が形成されている。上記基板４の適所には上記配線パターンのそれぞれと導通した１または複数のコネクタ（図示略）が設けられており、このコネクタに配線接続を行うことによって外部機器から上記各部への電力供給や各種の信号の入出力が行えるようになっている。
【００３０】
上記ケース１は、合成樹脂製であり、その長手方向の全長寸法は上記基板４と略同一である。図２によく表れているように、このケース１は、上記複数の光源３、複数の受光素子２、および複数の駆動ＩＣ８０のそれぞれを囲み込むように上記基板４の表面４ａ上に取付けられている。上記ケース１は、その厚み方向に貫通した孔部１０と、その底部に形成された凹部１１とを有しており、上記孔部１０内の底部に上記複数の光源３が配置されている。上記凹部１１内には、上記複数の受光素子２と駆動ＩＣ８０とが配置されている。上記基板４の一側縁部４ｃおよびその近傍部分は、上記ケース１の一側方にはみ出しており、そのはみ出した部分に上記複数の発熱素子８が位置している。
【００３１】
上記透明カバー１９は、たとえば透明なガラス製または合成樹脂製のプレートである。この透明カバー１９は、上記ケース１の上面部に設けられている凹部１３に嵌合装着されている。ただし、上記ケース１の上面部は基板４に対して傾斜しており、これに伴って上記透明カバー１９も傾斜している。より具体的には、上記透明カバー１９は、基板４の他側縁部４ｄに近づくほどその高さが低くなるように傾斜している。
【００３２】
上記レンズアレイ５は、主走査方向に延びるブロック状のレンズホルダ５０に、複数のロッドレンズ５１を列状に保持させたものである。レンズアレイ５の構成部品としてロッドレンズ５１を用いれば、原稿Ｄの画像を受光素子２上に正立等倍に結像させることが可能であるが、むろんこれら以外のレンズを用いてもかまわない。上記レンズアレイ５は、上記透明カバー１９の下方においてこの透明カバー１９に対向して設けられた凹溝１２に嵌入装着されており、主走査方向に延びている。上記透明カバー１９の表面部のうち、上記レンズアレイ５と対向する部分が、画像読み取り対象領域Ｓである。
【００３３】
上記ケース１の内部には、上記光源３から発せられた光を導くための光路１４が設けられている。この光路１４は、上記孔部１０、レンズアレイ５、上記凹部１１の一部を含んで構成されており、次のような第１の光路１４ａと第２の光路１４ｂとに大別される。すなわち、第１の光路１４ａは、孔部１０によって形成されており、複数の光源３から発せられた光を上記画像読み取り対象領域Ｓに導く光路である。これに対し、第２の光路１４ｂは、上記第１の光路１４ａを進行して上記画像読み取り対象領域Ｓに位置する原稿表面によって反射された光をレンズアレイ５を介して上記複数の受光素子２上に導く光路である。上記複数の受光素子２は、上記第２の光路１４ｂを通過してきた光を受光すると、その受光量に対応した出力レベルの画像信号を出力する。
【００３４】
上記ケース１は、たとえばポリカーボネイトに酸化チタンを含有させた白色の樹脂製とされており、このケース１の各所の表面は光の反射率の高い（たとえば光反射率が９７％ないし９８％程度）面とされている。このため、上記孔部１０の内壁面も光反射率の高い面とされている。このような構成によれば、複数の光源３から発せられた光を上記孔部１０の内壁面において高い反射率で反射させながら画像読み取り対象領域Ｓに導くことができ、画像読み取り対象領域Ｓに対する光の照射効率を高めることができる。
【００３５】
上記ケース１の下部には、上記複数の受光素子２を囲み込む補助部材６が設けられている。この補助部材６は、たとえば黒色顔料を含むＡＢＳ樹脂製であり、その各所の表面は光の吸収率が高い黒色とされている。上記補助部材６を設けた構成によれば、レンズアレイ５を通過して複数の受光素子２に向けて進行した光が上記複数の受光素子２の周囲において散乱反射する虞れを無くすことができ、読み取り画像の質を高めることが可能となる。上記補助部材６は、その上部に設けられている突起部６０，６０を上記ケース１に設けられている凹部１５，１５に嵌入させることによって、上記ケース１に取付けられている。
【００３６】
上記ケース１の上部には、その幅方向一側縁部を側方に突出させた凸状部９Ａが設けられている。上記ケース１には、上記凸状部９Ａが設けられていることによって、第１のガイド面９１と、第２のガイド面９２とが形成されている。上記第１のガイド面９１は、上記凸状部９Ａの上面部分を含んで形成されており、上記透明カバー１９の表面と略面一の平面とされている。この第１のガイド面９１は、上記透明カバー１９の一側縁から上記透明カバー１９の幅方向外方に延びている。これに対し、上記第２のガイド面９２は、上記凸状部９Ａの下面部分とケース１の一側面とが組み合わされた面であり、上記基板４の発熱素子８の搭載領域の近傍部分からケース１の厚み方向に立ち上がった曲面状の凹面、または曲面と平面とが組み合わされた凹面とされている。
【００３７】
上記放熱板７は、上記基板４と略同等または上記基板４よりも幅方向のサイズがやや大きなサイズに形成された略プレート状のものであり、上記基板４の裏面４ｂに両面接着テープや接着剤などを介して接着されている。この放熱板７は、たとえばアルミニウムや鉄などの熱伝導率の高い金属製とされている。この放熱板７の幅方向の一側縁部には、上記基板４の一側縁部４ｃからその外方にはみ出したはみ出し部７ａが設けられており、その表面が第３のガイド面９３とされている。この第３のガイド面９３は、基板４の一側縁部４ｃに接近するほどその高さが低くなる曲面状、平面状、または曲面と平面とが組み合わされた傾斜面とされており、その一側端縁は上記基板４の表面４ａに対して略面一状に繋がっている。
【００３８】
図３によく表れているように、上記放熱板７の長手方向両端部には、係合用突起７０，７０が設けられている。これらの係合用突起７０，７０は、上記放熱板７の上方に向けて起立しているとともに、その先端部が略Ｌ字状に屈曲した形状である。これらの係合用突起７０，７０は、上記放熱板７に一体的に設けてもよいが、これに代えて、たとえば上記放熱板７とは別体に形成された部材を上記放熱板７に取付けることによって構成してもかまわない。
【００３９】
上記ケース１の長手方向両端部には、凹部１８，１８が設けられている。図１によく表れているように、上記ケース１は、上記基板４の表面４ａ上に配置された上で、上記係合用突起７０，７０の先端部が上記凹部１８，１８に係入することによって、上記基板４上における位置決め固定が図られている。図２によく表れているように、上記ケース１の底部には、基板４の側縁部４ｄに係合する段部１７が設けられており、これによって基板４に対するケース１の幅方向の位置決めも図られている。
【００４０】
図５は、上記画像読み書き一体ヘッドＡを具備して構成された画像処理装置Ｂの概略構成の一例を示す説明図である。
【００４１】
この画像処理装置Ｂは、たとえば合成樹脂製の筐体９９内に上記画像読み書き一体ヘッドＡを組み込んだものであり、上記透明カバー１９と対向する位置には、原稿Ｄを紙送りするための駆動回転自在なプラテンローラＰ1 が設けられている。また、上記複数の発熱素子８と対向する位置には、記録紙Ｋを紙送りするための駆動回転自在なプラテンローラＰ2 が設けられている。記録紙Ｋは、たとえば巻取ロールＲから繰り出される長尺状の感熱紙である。むろん、本発明はこれに限定されず、たとえば単票状の記録紙を用いることも可能である。
【００４２】
次に、上記画像読み書き一体ヘッドＡ、および上記画像処理装置Ｂの作用について説明する。
【００４３】
まず、上記画像処理装置Ｂでは、画像読み書き一体ヘッドＡが画像読み取り機能と画像形成機能とを併せもつために、原稿Ｄの画像読み取りと記録紙Ｋへの画像の印字出力とを個別に、または同時に行うことができる。また、その際の紙送りも、適切に行うことができる。具体的には、原稿Ｄを第１のガイド面９１の表面上に供給すると、この原稿Ｄはその後透明カバー１９の表面とプラテンローラＰ1 との間にスムーズに進行し、この原稿Ｄの表面の画像読み取り処理が適切に行える。一方、記録紙Ｋを第３のガイド面９３上に供給すると、この記録紙Ｋはその後複数の発熱素子８とプラテンローラＰ2 との間にスムーズに進行し、その表面に所望の画像が印字出力される。印字出力が終了した記録紙Ｋが、その後第２のガイド面９２に沿って移動すると、その進行方向はロールＲからの記録紙Ｋの繰り出し方向とは略反対向きとなる。したがって、上記記録紙Ｋを筐体９９の上面の排紙口に向けてスムーズに進行させることができ、上記記録紙Ｋと原稿Ｄとの不当な干渉も生じないようにできる。このように、画像読み書き一体ヘッドＡの複数のガイド面９１，９２，９３を利用して原稿Ｄや記録紙Ｋの紙送りガイドを適切に行わせれば、原稿Ｄや記録紙Ｋの紙送りガイドを行うことを目的として筐体９９に別途設けるガイド部材（図示略）の数を少なくすることが可能となり、画像処理装置Ｂの製造が容易となる。
【００４４】
上記画像処理装置Ｂでは、上記２つのプラテンローラＰ1 ，Ｐ2 は、いずれも画像読み書き一体ヘッドＡの基板４よりも上方に配置すればよい。したがって、これら２つのプラテンローラＰ1 ，Ｐ2 と画像読み書き一体ヘッドＡとの三者が画像処理装置Ｂの高さ方向に大きく嵩張らないようにでき、画像処理装置Ｂの薄型化が図れる。上記画像読み書き一体ヘッドＡでは、プラテンローラＰ2 に対向する第２のガイド面９２が凹面状であるから、この第２のガイド面９２に沿わせてプラテンローラＰ2 を画像読み書き一体ヘッドＡにかなり接近させてスペース効率良く配置することができる。したがって、全体の小型化を図る上で、一層好ましいものとなる。さらに、上記透明カバー１９は傾斜しているために、この透明カバー１９に対向するプラテンローラＰ1 を他方のプラテンローラＰ2 から適度に離れた位置へ配置することが可能となる。したがって、２つのプラテンローラＰ1 ，Ｐ2 として大径のプラテンローラを用いた場合に、それらが不当に干渉し合うようなことも回避できる。
【００４５】
上記プラテンローラＰ1 ，Ｐ2 は、原稿Ｄや記録紙Ｋを透明カバー１９の表面または発熱素子８の表面に適度な圧力で押しつけるように筐体９内に組み込む必要がある。ところが、これらのプラテンローラＰ1 ，Ｐ2 は、いずれも画像読み書き一体ヘッドＡの上方に配置させればよいために、その組み込み作業は一方向から行うことができ、その組み込み作業性も良好なものにできる。また、上記プラテンローラＰ1 ，Ｐ2 を透明カバー１９や発熱素子８に対して押しつける方向も同一方向となるために、そのための構造も非常に簡素なものにできる。
【００４６】
一方、上記画像読み書き一体ヘッドＡは、図２に示したように、複数の光源３、複数の受光素子２、複数の駆動ＩＣ８０、および複数の発熱素子８のそれぞれを基板４の表面４ａに実装しており、またそれらに関連する配線パターンも上記表面４ａに形成している。したがって、上記各部品の実装作業や配線パターンの作製作業に際しては、上記基板４を表裏反転させるような必要はなく、その生産性を高めることができる。また、ケース１を基板４に組付ける作業は、ケース１を基板４上に載置してから、放熱板７の係合用突起７０，７０をケース１の凹部１８，１８に係入させることによって、上記ケース１と放熱板７とを互いに掛止させればよく、やはり簡単に行うことができる。上記係合用突起７０，７０にはケース１と基板４とを位置合わせするための役割をもたせることも可能であり、ケース１の各部と受光素子２や光源３などとの各種の電子部品との位置関係も適正な状態に設定することが可能である。さらに、上記係合用突起７０，７０を利用したケース１の組付け構造では、互いに掛止されたケース１と放熱板７との間に基板４が挟まれた恰好となる。したがって、放熱板７と基板４との位置関係を安定させることもできる。
【００４７】
上記画像読み書き一体ヘッドＡでは、その使用動作時において複数の発熱素子８や光源３などから熱が発生するが、その熱は放熱板７を介して外部に適切に発散させることができる。したがって、発熱素子８の温度を安定させることができ、記録紙Ｋに印字出力される画像の質が悪化しないようにできる。
【００４８】
なお、本願発明に係る画像読み書き一体ヘッドや画像処理装置の具体的な構成は、上記実施形態に限定されず、種々に設計変更自在である。
【００４９】
図５は、本願発明に係る画像読み書き一体ヘッドの他の例を示す断面図である。ただし、同図において、先の実施形態と同一部分は、同一符号で示している。同図に示す構成では、ケース１Ａにこのケース１Ａとは別体に形成された補助部材９８を設けることによって凸状部９Ｂを設けている。この凸状部９Ｂの上面が原稿Ｄをガイドするための第１のガイド面９１ａとされているとともに、上記凸状部９Ｂの他の側面と上記ケース１Ａの側面の一部とが記録紙Ｋをガイドするための第２のガイド面９２ａとされている。また、基板４の表面４ａには、この基板４とは別体に形成された補助部材９７を設けており、この補助部材９７の表面を記録紙Ｋをガイドするための第３のガイド面９３ａとしている。このように、本願発明では、原稿Ｄや記録紙Ｋを移送するためのガイド面は、画像読み書き一体ヘッドを構成する主要部品に対して別体で形成されていてもかまわず、このような構成であっても本願発明が意図する効果が期待できる。
【００５０】
また、本願発明でいうガイド手段は、上述したような比較的大きな面積を有するガイド面である必要もない。たとえば主走査方向に適当な間隔を隔てて並んだ複数本の突起状部材などであってもかまわない。さらに、上述の実施形態では、光源３を基板４の複数の受光素子２や発熱素子８が搭載されている面と同一面に搭載しているが、本願発明では、これに代えて、たとえば図６で示した従来のものと同様に、光源をケース内に設けた構成としてもかまわない。
【図面の簡単な説明】
【図１】本願発明に係る画像読み書き一体ヘッドの一例を示す斜視図である。
【図２】図１のII−II断面図である。
【図３】図１に示す画像読み書き一体ヘッドの分解斜視図である。
【図４】図１に示す画像読み書き一体ヘッドを具備して構成された画像処理装置の概略構成の一例を示す説明図である。
【図５】本願発明に係る画像読み書き一体ヘッドの他の例を示す斜視図である。
【図６】従来の画像読み書き一体ヘッドの一例を表す断面図である。
【符号の説明】
１  ケース
２  受光素子
３  光源
４  基板
４ａ  表面（基板の）
５  レンズアレイ
７  放熱板
８  発熱素子（印字用素子）
１４  光路
１９  透明カバー
７０，７０  係合用突起（掛止手段）
９１，９１ａ  第１のガイド面
９２，９２ａ  第２のガイド面
９３，９３ａ  第３のガイド面
Ａ  画像読み書き一体ヘッド
Ｂ  画像処理装置
Ｄ  原稿
Ｋ  記録紙
Ｓ  画像読み取り対象領域
Ｐ1   原稿用プラテンローラ
Ｐ2   記録紙用プラテンローラ
【図１】
0003839588.tif 000002
【図２】
0003839588.tif 000003
【図３】
0003839588.tif 000004
【図４】
0003839588.tif 000005
【図５】
0003839588.tif 000006
【図６】
0003839588.tif 000007